(57)【特許請求の範囲】
【請求項１】
台板、
一方側部分に挟持部が形成され、他方側部分に開用押圧部が形成され、前記挟持部が前記台板に対して開閉できるように中間部分が前記台板に回動可能に支持される挟持部材、
前記挟持部材の前記挟持部を前記台板側に付勢する付勢部材、および
前記台板に対して前記挟持部材の前記挟持部を開いた状態で維持するための係止部材を含み、
前記係止部材は、前記挟持部材の前記一方側部分および前記中間部分の間の部分で回動可能に支持され、
前記挟持部材の前記開用押圧部側に配置される係止用押圧部、
前記挟持部材の前記挟持部側に配置される解除用押圧部、および
前記台板側に配置される係止部を含み、
前記挟持部材の前記開用押圧部を押圧して前記台板に対して前記挟持部材の前記挟持部を前記付勢部材の付勢力に抗して開いた状態で前記係止部材の前記係止用押圧部を押圧して前記係止部材の前記係止部を前記台板の当接部に当てることによって、前記台板に対して前記挟持部材の前記挟持部を開いた状態で維持するように形成され、
前記係止部材の前記解除用押圧部を押圧して前記係止部材の前記係止部を前記台板の前記当接部から外すことによって、前記台板に対して前記挟持部材の前記挟持部を前記付勢部材の付勢力で閉じるように形成されている、紙挟み。
【請求項２】
前記係止部材の前記解除用押圧部は、押圧された状態においてその表面が前記挟持部材の前記挟持部の表面と略同一面になるように形成される、請求項１に記載の紙挟み。
【請求項３】
前記係止部材の前記係止用押圧部が押圧された状態において前記係止部材の前記係止用押圧部を挿入するための挿入部が前記挟持部材に形成される、請求項１または請求項２に記載の紙挟み。
【発明の詳細な説明】
【０００１】
【発明の属する技術分野】
この発明は紙挟みに関し、特に台板に挟持部材が設けられ、たとえば書類などを台板と挟持部材とで挟持することができる紙挟みに関する。
【０００２】
【従来の技術】
この発明の背景となる従来の紙挟みの一例が、たとえば特許第２６２３２３２号公報に開示されている。図１２はこのような従来の紙挟みの一例を示す斜視図である。図１２に示す紙挟み１は台板２を含む。台板２の端部には、挟持部材３が設けられる。挟持部材３は、一方側部分３ａがトーションばね（図示せず）で台板２に向けて付勢されている。そのため、台板２と挟持部材３の一方側部分３ａとで書類などを挟持することができる。挟持部材３の他方側部分３ｂの近傍には、ストッパ部材４が設けられる。ストッパ部材４は、台板２に対して挟持部材３の一方側部分３ａがトーションばねの付勢力に抗して開かれた状態で、挟持部材３をロックするためのものである。さらに、ストッパ部材４は、それを押圧することによって、挟持部材３のロックを解除して挟持部材３の一方側部分３ａを閉じるためのものである。
図１２に示す紙挟み１では、挟持部材３の他方側部分３ｂを押圧することによって、台板２に対して挟持部材３の一方側部分３ａを開くことができ、挟持部材３の他方側部分３ｂをさらに押圧することによって、挟持部材３の一方側部分３ａを開いた状態で挟持部材３をストッパ部材４でロックすることができる。また、図１２に示す紙挟み１では、挟持部材３の他方側部分３ｂの近傍にあるストッパ部材４を押圧することによって、挟持部材３のロックを解除して挟持部材３の一方側部分３ａを閉じることができる。
図１２に示す紙挟み１では、台板２に対して挟持部材３を開いた状態で維持することができるので、台板２と挟持部材３との間に書類などを挿入しやすい。
【０００３】
【特許文献１】
特許第２６２３２３２号公報
【０００４】
【発明が解決しようとする課題】
ところが、図１２に示す紙挟み１では、台板２に対して挟持部材３の一方側部分３ａを閉じる際に、挟持部材３において閉じようとする一方側部分３ａとは反対側の他方側部分３ｂの近傍にあるストッパ部材４を、挟持部材３の閉じる方向とは反対側に向けて押圧しなければならない。そのため、図１２に示す紙挟み１では、ストッパ部材４を押圧して挟持部材３の一方側部分３ａを閉じることが分かりにくく、挟持部材３を閉じにくい。
【０００５】
それゆえに、この発明の主たる目的は、台板に対して挟持部材の挟持部を開いた状態で維持することができ、しかも、台板に対して挟持部材の挟持部を開閉しやすい、紙挟みを提供することである。
【０００６】
【課題を解決するための手段】
この発明にかかる紙挟みは、台板と、一方側部分に挟持部が形成され、他方側部分に開用押圧部が形成され、挟持部が台板に対して開閉できるように中間部分が台板に回動可能に支持される挟持部材と、挟持部材の挟持部を台板側に付勢する付勢部材と、台板に対して挟持部材の挟持部を開いた状態で維持するための係止部材とを含み、係止部材は、挟持部材の一方側部分および中間部分の間の部分で回動可能に支持され、挟持部材の開用押圧部側に配置される係止用押圧部と、挟持部材の挟持部側に配置される解除用押圧部と、台板側に配置される係止部とを含み、挟持部材の開用押圧部を押圧して台板に対して挟持部材の挟持部を付勢部材の付勢力に抗して開いた状態で係止部材の係止用押圧部を押圧して係止部材の係止部を台板の当接部に当てることによって、台板に対して挟持部材の挟持部を開いた状態で維持するように形成され、係止部材の解除用押圧部を押圧して係止部材の係止部を台板の当接部から外すことによって、台板に対して挟持部材の挟持部を付勢部材の付勢力で閉じるように形成されている、紙挟みである。
この発明にかかる紙挟みでは、挟持部材の開用押圧部を押圧することによって、台板に対して挟持部材の挟持部を付勢部材の付勢力に抗して開くことができる。この場合、挟持部材において開こうとする一方側部分に形成された挟持部とは反対側の他方側部分に形成された開用押圧部を押圧すればよいので、挟持部材の開用押圧部が押圧しやすく、挟持部材の挟持部を開きやすい。
また、この発明にかかる紙挟みでは、台板に対して挟持部材の挟持部を開いた状態で係止部材の係止用押圧部を押圧して係止部材の係止部を台板の当接部に当てることによって、台板に対して挟持部材の挟持部を開いた状態で維持することができる。この場合、係止部材において挟持部材の開用押圧部側に配置された係止用押圧部を押圧すればよいので、係止部材の係止用押圧部が押圧しやすく、台板に対して挟持部材の挟持部を開いた状態で維持しやすい。
さらに、この発明にかかる紙挟みでは、係止部材の解除用押圧部を押圧して係止部材の係止部を台板の当接部から外すことによって、台板に対して挟持部材の挟持部を付勢部材の付勢力で閉じることができる。この場合、係止部材において挟持部材の閉じようとする挟持部側に配置された解除用押圧部を押圧すればよいので、係止部材の解除用押圧部が押圧しやすく、挟持部材の挟持部を閉じやすい。
【０００７】
この発明にかかる紙挟みでは、係止部材の解除用押圧部は、押圧された状態においてその表面が挟持部材の挟持部の表面と略同一面になるように形成されてもよい。このようにすれば、係止部材の解除用押圧部が、押圧された状態において、挟持部材の挟持部に対して突き出しにくく邪魔になりにくい。
【０００８】
また、この発明にかかる紙挟みでは、係止部材の係止用押圧部が押圧された状態において係止部材の係止用押圧部を挿入するための挿入部が挟持部材に形成されてもよい。このようにすれば、係止部材の係止用押圧部が、押圧された状態において挟持部材に形成された挿入部に挿入されるので邪魔になりにくい。
【０００９】
この発明の上述の目的、その他の目的、特徴および利点は、図面を参照して行う以下の発明の実施の形態の詳細な説明から一層明らかとなろう。
【００１０】
【発明の実施の形態】
図１はこの発明にかかる紙挟みの一例を示す斜視図であり、図２はその紙挟みの要部を示す分解斜視図であり、図３はその紙挟みにおいて挟持部材を閉じた状態を示す要部図解図である。図１に示す紙挟み１０は、たとえば合成樹脂からなる矩形板状の台板１２を含む。
【００１１】
台板１２の上端部には、図２に示すように、４つの挟持部材用支持部１４ａ、１４ｂ、１４ｃおよび１４ｄが、左右に間隔を隔てて形成される。これらの挟持部材用支持部１４ａ〜１４ｄは、後述の挟持部材４０を支持するためのものである。これらの挟持部材用支持部１４ａ〜１４ｄは、それぞれ、略円筒状に形成される。なお、左側の２つの挟持部材用支持部１４ａおよび１４ｂはそれぞれ左右の両側に開口を有するが、右側の２つの挟持部材用支持部１４ｃおよび１４ｄはそれぞれ左側に開口を有し右側が塞がれている。
【００１２】
さらに、台板１２には、挟持部材用支持部１４ａ〜１４ｄの近傍に、ばね用支持部１６ａ〜１６ｄが形成される。これらのばね用支持部１６ａ〜１６ｄは、後述のトーションばね３０を支持するためのものである。ばね用支持部１６ａは、挟持部材用支持部１４ａの右端近傍に、ブロック状に形成される。また、ばね用支持部１６ｂは、ばね用支持部１６ａの下端に、溝状に形成される。さらに、ばね用支持部１６ｃは、挟持部材用支持部１４ｃの下端に、溝状に形成される。また、ばね用支持部１６ｄは、挟持部材用支持部１４ｄの右端近傍に、板状に形成される。
【００１３】
また、台板１２には、挟持部材用支持部１４ｂおよび１４ｃ間に、接触部１８が形成される。接触部１８は、台板１２に対して挟持部材４０の挟持部４２を開閉する際および開いた状態で維持する際に、後述の係止部材６０の係止部６８が接触する部分である。接触部１８は、図３に示すように、第１の湾曲部１８ａ、第２の湾曲部１８ｂ、突出部１８ｃおよび壁部１８ｄからなる。
【００１４】
第１の湾曲部１８ａは、表面の断面形状が挟持部材用支持部１４ａ〜１４ｄの軸心を中心軸として円弧状になるように形成される。なお、図３には、その円弧の半径をＲ１で示す。また、第２の湾曲部１８ｂは、第１の湾曲部１８ａより台板１２の中央側に形成される。この場合、第２の湾曲部１８ｂは、図１１に示すように、台板１２に対して挟持部材４０の挟持部４２を開いた際に、表面の断面形状が後述の支持軸６６ａ、６６ｂの軸心を中心軸として円弧状になるように形成される。なお、図１１には、その円弧の半径をＲ２で示す。第１の湾曲部１８ａおよび第２の湾曲部１８ｂは、台板１２に対して挟持部材４０の挟持部４２を開閉する際に、係止部材６０の係止部６８が接触する部分である。
【００１５】
突出部１８ｃは、第１の湾曲部１８ａおよび第２の湾曲部１８ｂ間において、略３角柱状に形成される。突出部１８ｃは、係止部材６０の係止部６８が第１の湾曲部１８ａおよび第２の湾曲部１８ｂ間を不用意に移動することを防止するためのものである。
【００１６】
壁部１８ｄは、第２の湾曲部１８ｂより台板１２の中央側に、直立した板状に形成される。壁部１８ｄは、第２の湾曲部１８ｂと協働して、当接部１９を構成する部分である。当接部１９は、台板１２に対して挟持部材４０の挟持部４２を開いた状態で維持する際に、係止部材６０の係止部６８が当たる部分である。
【００１７】
さらに、台板１２には、上端部の近傍に、略３角柱状の２つの滑り止部２０、２０が上下に間隔を隔てて形成される。滑り止部２０、２０は、この紙挟み１０で挟持した書類などを台板１２から滑りにくくするためのものである。
【００１８】
さらに、台板１２には、図１に示すように、左端部、上端左側部および上端右側部に、段差部２２ａ、２２ｂおよび２２ｃがそれぞれ形成される。これらの段差部２２ａ〜２２ｃは、この紙挟み１０で挟持する書類などが台板１２の外側にはみださないようにその書類などの左端部および上端部を台板１２に対して規制するためのものである。
【００１９】
また、台板１２には、図２に示すように、上端中央部に、円形状の吊下げ用孔２４が形成される。さらに、台板１２には、図１に示すように、上端右側部に、ペンホルダ２６が形成される。
【００２０】
台板１２のばね用支持部１６ａ〜１６ｄには、図２に示すように、付勢部材としてステンレスなどの金属からなるトーションばね３０が支持される。トーションばね３０は、挟持部材４０の挟持部４２を台板１２側に付勢するためのものである。トーションばね３０は、コ字状の中間部３２を含む。中間部３２の一端および他端には、Ｌ字状の一端部３４ａおよびＬ字状の他端部３４ｂがそれぞれ形成される。この場合、一端部３４ａおよび他端部３４ｂは、中間部３２が形成される面とたとえば６０度の角度を有する面内に形成される。トーションばね３０は、一端部３４ａがばね用支持部１６ａおよび１６ｂで支持され、他端部３４ｂがばね用支持部１６ｃおよび１６ｄで支持される。それによって、トーションばね３０は、中間部３２が台板１２の表面から斜め上方向に突出するように配置される。
【００２１】
台板１２の挟持部材用支持部１４ａ〜１４ｄには、合成樹脂からなる湾曲板状の挟持部材４０が支持される。挟持部材４０は、図１〜図６に示すように、一方側部分に挟持部４２が形成され、他方側部分に開用押圧部４４が形成される。挟持部４２は、台板１２と協働して書類などを挟むためのものである。開用押圧部４４は、押圧することによって台板１２に対して挟持部材４０の挟持部４２を開くためのものである。さらに、挟持部材４０の中間部分の背面には、略円柱状の４つの支持軸４６ａ、４６ｂ、４６ｃおよび４６ｄが、左右に間隔を隔てて右向きに形成される。挟持部材４０は、支持軸４６ａ〜４６ｄを台板１２の挟持部材用支持部１４ａ〜１４ｄに嵌合することによって、挟持部４２が台板１２に対して開閉できるように、中間部分の支持軸４６ａ〜４６ｄが台板１２の挟持部材用支持部１４ａ〜１４ｄに回動可能に支持される。また、挟持部材４０は、開用押圧部４４側がトーションばね３０の中間部３２で上方向に付勢されることによって、挟持部４２が台板１２の滑り止部２０、２０間側に付勢される。
【００２２】
挟持部材４０には、支持軸４６ｂおよび４６ｃ間に、挿入部として略矩形状の開口部４８が形成される。開口部４８は、後述の係止部材６０を挿入するためのものである。挟持部材４０の開口部４８の左右両側には、支持軸４６ｂおよび４６ｃの近傍であって挟持部４２側に、Ｕ字状の係止部材支持用凹部５０ａおよび５０ｂが形成される。係止部材支持用凹部５０ａおよび５０ｂは、係止部材６０を支持するためのものである。さらに、挟持部材４０には、開口部４８の下端に、ストッパ部５２が形成される。ストッパ部５２は、係止部材６０の動きを規制するためのものである。
【００２３】
挟持部材４０には、合成樹脂からなる係止部材６０が支持される。係止部材６０は、台板１２に対して挟持部材４０の挟持部４２を開いた状態で維持するためのものである。係止部材６０は、図１〜図３および図７〜図９に示すように、一端側部分に係止用押圧部６２が形成され、他端側部分に解除用押圧部６４が形成される。係止用押圧部６２は、押圧することによって後述の係止部６８を台板１２の当接部１９に当てるためのものである。解除用押圧部６４は、押圧することによって係止部６８を台板１２の当接部１９から外すためのものである。係止用押圧部６２の端部および解除用押圧部６４の中央部には、滑りにくくするための膨出部６２ａおよび６４ａがそれぞれ形成される。さらに、係止部材６０の左右両側には、略円柱状の支持軸６６ａおよび６６ｂが形成される。係止部材６０は、支持軸６６ａおよび６６ｂを挟持部材４０の係止部材支持用凹部５０ａおよび５０ｂに嵌合することによって、挟持部材４０の挟持部４２と支持軸４６ａ〜４６ｄとの間の支持用凹部５０ａおよび５０ｂで回動可能に支持される。この場合、係止部材６０の係止用押圧部６２は挟持部材４０の開用押圧部４４側に配置され、係止部材６０の解除用押圧部６４は挟持部材４０の挟持部４２側に配置される。また、係止部材６０の解除用押圧部６４は、押圧された状態において、その大部分の表面が挟持部材４０の挟持部４２の表面と略同一面となるように形成される。
【００２４】
係止部材６０において支持軸６６ａおよび６６ｂ間には、台板１２側に、略３角柱状の係止部６８が形成される。係止部６８は、台板１２に対して挟持部材４０の挟持部４２を開閉する際に台板１２の接触部１８に接触し、台板１２に対して挟持部材４０の挟持部４２を開いた状態で維持する際に台板１２の当接部１９に当たるものである。
【００２５】
また、この紙挟み１０は、図１０および図１１に示すように、挟持部材４０の開用押圧部４４を押圧して台板１２に対して挟持部材４０の挟持部４２をトーションばね３０の付勢力に抗して開いた状態で係止部材６０の係止用押圧部６２を押圧して係止部材６０の係止部６８を台板１２の第１の湾曲部１８ａから突出部１８ｃを越えて当接部１９に当てることによって、台板１２に対して挟持部材４０の挟持部４２を開いた状態で維持するように形成されている。
【００２６】
さらに、この紙挟み１０は、図１および図３に示すように、係止部材６０の解除用押圧部６４を押圧して係止部材６０の係止部６８を台板１２の当接部１９から突出部１８ｃを越えて第１の湾曲部１８ａ側に外すことによって、台板１２に対して挟持部材４０の挟持部４２をトーションばね３０の付勢力で閉じるように形成されている。
【００２７】
この紙挟み１０では、挟持部材４０の開用押圧部４４を押圧することによって、台板１２に対して挟持部材４０の挟持部４２をトーションばね３０の付勢力に抗して開くことができる。この場合、挟持部材４０において開こうとする一方側部分に形成された挟持部４２とは反対側の他方側部分に形成された開用押圧部４４を押圧すればよいので、挟持部材４０の開用押圧部４４が押圧しやすく、挟持部材４０の挟持部４２を開きやすい。
【００２８】
また、この紙挟み１０では、台板１２に対して挟持部材４０の挟持部４２を開いた状態で係止部材６０の係止用押圧部６２を押圧して係止部材６０の係止部６８を台板１２の当接部１９に当てることによって、台板１２に対して挟持部材４０の挟持部４２を開いた状態で維持することができる。この場合、係止部材６０において挟持部材４０の開用押圧部４４側に配置された係止用押圧部６２を押圧すればよいので、係止部材６０の係止用押圧部６２が押圧しやすく、台板１２に対して挟持部材４０の挟持部４２を開いた状態で維持しやすい。
【００２９】
さらに、この紙挟み１０では、係止部材６０の解除用押圧部６４を押圧して係止部材６０の係止部６８を台板１２の当接部１９から外すことによって、台板１２に対して挟持部材４０の挟持部４２をトーションばね３０の付勢力で閉じることができる。この場合、係止部材６０において挟持部材４０の閉じようとする挟持部４２側に配置された解除用押圧部６４を押圧すればよいので、係止部材６０の解除用押圧部６４が押圧しやすく、挟持部材４０の挟持部４２を閉じやすい。
【００３０】
また、この紙挟み１０では、係止部材６０の解除用押圧部６４は、押圧された状態において、その大部分の表面が挟持部材４０の挟持部４２の表面と略同一面になるように形成されているので、挟持部材４０の挟持部４２に対して突き出しにくく邪魔になりにくい。
【００３１】
さらに、この紙挟み１０では、係止部材６０の係止用押圧部６２は、押圧された状態において、挟持部材４０に形成された開口部４８に挿入されるので邪魔になりにくい。
【００３２】
また、この紙挟み１０では、台板１２の接触部１８において第１の湾曲部１８ａおよび第２の湾曲部１８ｂ間に突出部１８ｃが形成されているので、係止部材６０の係止部６８が、台板１２の当接部１９側に不用意に変位しにくく、しかも、台板１２の当接部１９から不用意に外れにくい。
【００３３】
なお、上述の紙挟み１０では、台板１２、挟持部材４０および係止部材６０などが特定の形状を有するが、この発明では、それらは他の形状に形成されてもよい。たとえば、台板１２の接触部１８および当接部１９は、傾いた平面部や傾いた曲面部で形成されてもよい。
【００３４】
また、上述の紙挟み１０では、付勢部材として金属からなるトーションばね３０が用いられているが、この発明では、金属からなるコイルばね、ゴムや合成樹脂などの弾性材料からなるばねなどが用いられてもよい。
【００３５】
さらに、上述の紙挟み１０では、挟持部材４０および係止部材６０が支持軸４６ａ〜４６ｄ、６６ａおよび６６ｂなどで支持されているが、台板１２に対する挟持部材４０の支持構造や挟持部材４０に対する支持構造などの構造も、他の構造に変更されてもよい。
【００３６】
また、上述の紙挟み１０では、係止部材６０に膨出部６２ａおよび６４ａが形成されているが、それらの膨出部は形成されなくてもよい。
【００３７】
【発明の効果】
この発明によれば、台板に対して挟持部材の挟持部を開いた状態で維持することができ、しかも、台板に対して挟持部材の挟持部を開閉しやすい、紙挟みが得られる。
【図面の簡単な説明】
【図１】この発明にかかる紙挟みの一例を示す斜視図である。
【図２】図１に示す紙挟みの要部を示す分解斜視図である。
【図３】図１に示す紙挟みにおいて挟持部材を閉じた状態を示す要部図解図である。
【図４】図１に示す紙挟みに用いられる挟持部材を示す底面図である。
【図５】図１に示す紙挟みに用いられる挟持部材を示す側面図である。
【図６】図４の線ＶＩ−ＶＩにおける断面図面図である。
【図７】図１に示す紙挟みに用いられる係止部材を示す背面図である。
【図８】図１に示す紙挟みに用いられる係止部材を示す底面図である。
【図９】図１に示す紙挟みに用いられる係止部材を示す側面図である。
【図１０】図１に示す紙挟みにおいて挟持部材を開いた状態を示す斜視図である。
【図１１】図１に示す紙挟みにおいて挟持部材を開いた状態を示す要部図解図である。
【図１２】この発明の背景となる従来の紙挟みの一例を示す斜視図である。
【符号の説明】
１０  紙挟み
１２  台板
１４ａ、１４ｂ、１４ｃ、１４ｄ  挟持部材用支持部
１６ａ、１６ｂ、１６ｃ、１６ｄ  ばね用支持部
１８  接触部
１８ａ  第１の湾曲部
１８ｂ  第２の湾曲部
１８ｃ  突出部
１８ｄ  壁部
１９  当接部
２０  滑り止部
２２ａ、２２ｂ、２２ｃ  段差部
２４  吊下げ用孔
２６  ペンホルダ
３０  トーションばね
３２  中間部
３４ａ  一端部
３４ｂ  他端部
４０  挟持部材
４２  挟持部
４４  開用押圧部
４６ａ、４６ｂ、４６ｃ、４６ｄ  支持軸
４８  開口部
５０ａ、５０ｂ  係止部材支持用凹部
５２  ストッパ部
６０  係止部材
６２  係止用押圧部
６２ａ  膨出部
６４  解除用押圧部
６４ａ  膨出部
６６ａ、６６ｂ  支持軸
６８  係止部
【図１】
0003663198.tif 000002
【図２】
0003663198.tif 000003
【図３】
0003663198.tif 000004
【図４】
0003663198.tif 000005
【図５】
0003663198.tif 000006
【図６】
0003663198.tif 000007
【図７】
0003663198.tif 000008
【図８】
0003663198.tif 000009
【図９】
0003663198.tif 000010
【図１０】
0003663198.tif 000011
【図１１】
0003663198.tif 000012
【図１２】
0003663198.tif 000013